(57)【要約】【課題】小型軽量化された寸法的に余裕のない両軸受型リールに用いられる、周壁が繋がっているガイド孔に釣糸が挿通される小型の釣糸案内部材において、飛距離を長くするとともに釣糸の劣化を抑制する。【解決手段】釣竿に取り付けて釣糸３を巻き取る両軸受型リールＡにおいて、釣糸３をスプール４に均一に巻き取るためのレベルワインド装置Ｂに用いられ、釣糸３を巻き取る際にスプール４の回転に連動してスプール４の幅方向へ往復動して釣糸３を案内する、周壁が繋がっているガイド孔２Ａを備えた釣糸案内部材１であって、両軸受型リールＡの生産時に装着された釣糸案内部材を取り外して置換可能であり、前記生産時に装着された釣糸案内部材を取り外して置換した際に、ガイド孔２Ａが、前記生産時に装着された釣糸案内部材のガイド孔よりも方及び上方の一方又は両方へオフセットさせた位置にある。【選択図】図１
2015084765.tif 000002
【特許請求の範囲】
【請求項１】
釣竿に取り付けて釣糸を巻き取る両軸受型リールにおいて、前記釣糸をスプールに均一に巻き取るためのレベルワインド装置に用いられ、前記釣糸を巻き取る際に前記スプールの回転に連動して前記スプールの幅方向へ往復動して前記釣糸を案内する、周壁が繋がっているガイド孔を備えた釣糸案内部材であって、
前記両軸受型リールの生産時に装着された釣糸案内部材を取り外して置換可能であり、前記生産時に装着された釣糸案内部材を取り外して置換した際に、前記ガイド孔が、前記生産時に装着された釣糸案内部材のガイド孔よりも前記釣糸の繰出し方向前側及び上側の一方又は両方へオフセットさせた位置にあることを特徴とする両軸受型リールのレベルワインド装置用釣糸案内部材。
【請求項２】
前記生産時に装着された釣糸案内部材よりも、前記ガイド孔の前後方向の寸法を小さく、又は前記ガイド孔の孔径を小さく形成してなる請求項１記載の両軸受型リールのレベルワインド装置用釣糸案内部材。
【発明の詳細な説明】
【技術分野】
【０００１】
本発明は、釣竿に取り付けて釣糸を巻き取る両軸受型リールにおいて、前記釣糸をスプールに均一に巻き取るためのレベルワインド装置に用いられ、前記スプールの回転に連動して前記スプールの幅方向へ往復動する、前記釣糸を案内するガイド孔を備えた釣糸案内部材に関する。
【背景技術】
【０００２】
釣竿に取り付けて釣糸を巻き取る両軸受型リール（ベイトキャスティングリール）において、前記釣糸をスプール（糸巻き部）に均一に巻き取るために、前記釣糸を案内する釣糸案内部材を前記スプールの回転に連動して前記スプールの幅方向へ往復動させるレベルワインド装置が用いられる（例えば、特許文献１〜３参照。）。
特許文献１及び２のレベルワインド装置は、スプールの前方に位置する案内筒、前記案内筒外周を左右に摺動する、釣糸を案内するガイド孔を備えた釣糸案内部材（糸案内具、釣糸案内体）、前記案内筒の両端に固定された軸受により支持されたトラバ−スカム軸、前記トラバ−スカム軸のトラバ−ス溝に係合する、前記釣糸案内部材内に収容された係合子、前記係合子を抜け止め保持するキャップ、及び前記釣糸案内部材を前記案内筒と平行に保持する案内杆等により構成される。
【０００３】
また、特許文献３のレベルワインド装置は、例えば第１実施例では、スプールの後方に位置する案内筒、前記案内筒の両端に固定された軸受により支持されたトラバ−スカム軸、前記トラバースカム軸に係合ピンで係合する係合部材、リール本体の脚部上に回動可能に軸着され、後端が長孔を介して前記係合部材に嵌合する伝達杆、前記伝達杆の前端の上側に止着されて前記スプールの前方に位置する釣糸案内部材（釣糸挿通部材）等により構成される。
ここで、釣糸案内部材（釣糸挿通部材）は、上向きに開口され、かつ上部に上方に向け広く拡開した釣糸誘導部を有する釣糸挿通部と、前記釣糸誘導部の上端外側に夫々延設された水平状の釣糸案内部とで構成され、特に前記釣糸案内部は平面的に見て弧状に形成され、夫々その外端部は側板に形成された弧状の嵌入孔に夫々出入自在に夫々嵌合しており、その左右往復動により前記釣糸案内部の外端が前記嵌入孔から外れないように構成される。
【先行技術文献】
【特許文献】
【０００４】
【特許文献１】実開平３−１２９０７１号公報
【特許文献２】特許第３０２０８１７号公報
【特許文献３】特許第３４０３６１８号公報
【発明の概要】
【発明が解決しようとする課題】
【０００５】
昨今のトレンドである小型軽量化された両軸受型リールは、スプールとレベルワインド装置が接近した設計となることが多い。
したがって、このような両軸受型リールのスプールに巻回された釣糸は、その糸巻き面の両端から釣糸案内部材のガイド孔までの間で強く折り曲げられながら放出されるので、釣糸とレベルワインド装置との接触抵抗や釣糸同士の引っ掛かり抵抗が大きくなるため、飛距離が短くなるとともに釣糸の劣化が早くなる。
また、スプールの最大径が３０〜４０ｍｍ程度の両軸受型リールにおいて、リール全体の小型軽量化がなされた場合、リール本体の前後長及び上下長と幅に至るまで短くなる。それによってレベルワインド用小型ギヤの位置はスプール中心軸よりも低くなるため、レベルワインド駆動ギヤの軸位置がスプール軸に対して低い位置に配される場合が多い。
したがって、外径付近にある釣糸は釣糸案内部材により下方向へ押さえ付けられてガイド孔内面と強く接触しながら放出されるので、飛距離が短くなるとともに釣糸の劣化が早くなる。
さらに、スプールの糸巻き面と釣糸案内部材のガイド孔が接近するとともに、前記ガイド孔がスプール軸より低い位置にある構成では、左右方向に角度を大きく保ちながら釣糸がスプールに巻き取られて過度な綾巻き状となるので、釣糸の放出抵抗が大きくなるため、飛距離が短くなるとともに釣糸の劣化が早くなる。
【０００６】
特許文献３のレベルワインド装置の構成によれば、釣糸案内部材が、上向きに開口され、かつ上部に上方に向け広く拡開した釣糸誘導部を有する釣糸挿通部と、前記釣糸誘導部の上端外側に夫々延設された水平状の釣糸案内部とで構成されるので、釣糸を放出する際には、釣糸が釣糸挿通部の開口から上方へ解放されて釣糸の放出抵抗が小さくなるため、飛距離が長くなるとともに釣糸の劣化が抑制される。
しかしながら、釣糸案内部材が前記釣糸挿通部及び前記釣糸案内部により形成されるので、その形状が大きく、その重量も重くなるので、釣糸案内部材の支持構造や往復動させるための駆動機構が比較的大きく複雑になるため、昨今のトレンドである小型軽量化された寸法的に余裕のない両軸受型リールには適さないとともに、製造コストが上昇する。
【０００７】
そこで本発明が前述の状況に鑑み、解決しようとするところは、特許文献３のような上向きに開口する釣糸挿通部を備えた大型の釣糸案内部材ではなく、特に小型軽量化された寸法的に余裕のない両軸受型リールのレベルワインド装置に用いられる、特許文献１及び２のようなガイド孔（特許文献３のような上向き開口がなく周壁が繋がっているもの）に釣糸が挿通される小型の釣糸案内部材において、飛距離を長くするとともに釣糸の劣化を抑制する点にある。
【課題を解決するための手段】
【０００８】
本発明に係る両軸受型リールのレベルワインド装置用釣糸案内部材は、前記課題解決のために、釣竿に取り付けて釣糸を巻き取る両軸受型リールにおいて、前記釣糸をスプールに均一に巻き取るためのレベルワインド装置に用いられ、前記釣糸を巻き取る際に前記スプールの回転に連動して前記スプールの幅方向へ往復動して前記釣糸を案内する、周壁が繋がっているガイド孔を備えた釣糸案内部材であって、前記両軸受型リールの生産時に装着された釣糸案内部材を取り外して置換可能であり、前記生産時に装着された釣糸案内部材を取り外して置換した際に、前記ガイド孔が、前記生産時に装着された釣糸案内部材のガイド孔よりも前記釣糸の繰出し方向前側及び上側の一方又は両方へオフセットさせた位置にあることを特徴とする。
【０００９】
このような構成によれば、両軸受型リールの生産時に装着された釣糸案内部材を取り外して置換して使用した場合、前記ガイド孔が、前記生産時に装着された釣糸案内部材のガイド孔よりも前記釣糸の繰出し方向前側及び上側の一方又は両方へオフセットさせた位置にあるので、前記生産時に装着された釣糸案内部材を使用した場合と比較して釣糸の折り曲げ角度が小さくなることから、釣糸と釣糸案内部材との接触抵抗を低減できるため、特に軽量な擬餌（ルアー）の飛距離を伸ばすことができるとともに釣糸の劣化を抑制できる。
その上、釣糸をスプールに巻き取る際における、スプールの幅方向の角度が小さくなるので、過度な綾巻き状となることを抑制でき、適度な重なり合いとなることから、放出抵抗の小さい釣糸の巻き取り状態となるため、飛距離を伸ばすことができるとともに釣糸の劣化を抑制できる。
【００１０】
ここで、前記生産時に装着された釣糸案内部材よりも、前記ガイド孔の前後方向の寸法を小さく、又は前記ガイド孔の孔径を小さく形成してなると好ましい。
このような構成によれば、特に小型軽量化された寸法的に余裕のない両軸受型リールにおいて、前記生産時に装着された釣糸案内部材を取り外して置換して使用した場合、ガイド孔の位置をより前方かつ上方へオフセットさせることが容易になるため、飛距離伸長効果及び釣糸の劣化抑制効果がさらに大きくなる。
【発明の効果】
【００１１】
以上のように、本発明に係る両軸受型リールのレベルワインド装置用釣糸案内部材によれば、
（ア）特殊な形状ではなく、両軸受型リールの生産時に装着された釣糸案内部材を取り外して容易に置換して使用できること、
（イ）前記生産時に装着された釣糸案内部材を取り外して置換して使用した場合、前記生産時に装着された釣糸案内部材よりも釣糸の繰出し方向前側及び上側の一方又は両方へオフセットさせた位置にガイド孔が形成されているので、前記生産時に装着された釣糸案内部材を使用した場合と比較して釣糸の折り曲げ角度が小さくなることから、釣糸と釣糸案内部材との接触抵抗を低減できるため、特に軽量な擬餌（ルアー）の飛距離を伸ばすことができるとともに釣糸の劣化を抑制できること、
顕著な効果を奏する。
【図面の簡単な説明】
【００１２】
【図１】（ａ）は本発明の実施の形態１に係る釣糸案内部材が装着された両軸受型リールの例を示す左側面図であり、（ｂ）は本発明の実施の形態１に係る釣糸案内部材の縦断左側面図である。
【図２】本発明の実施の形態１に係る釣糸案内部材が装着された両軸受型リールの例を示す平面図である。
【図３】（ａ）は本発明の実施の形態２に係る釣糸案内部材が装着された両軸受型リールの例を示す左側面図であり、（ｂ）は本発明の実施の形態２に係る釣糸案内部材の縦断左側面図である。
【図４】（ａ）は標準装着品である釣糸案内部材が装着された両軸受型リールの例を示す左側面図であり、（ｂ）は標準装着品である釣糸案内部材の縦断左側面図である。
【図５】標準装着品である釣糸案内部材が装着された両軸受型リールの例を示す平面図である。
【発明を実施するための形態】
【００１３】
次に本発明の実施の形態を添付図面に基づき詳細に説明するが、本発明は、添付図面に示された形態に限定されず特許請求の範囲に記載の要件を満たす実施形態の全てを含むものである。
また、本明細書において、スプールから釣糸を繰り出す方向を前方、その反対方向を後方とし、前方から見た図を正面図とする。
【００１４】
実施の形態１．
図１（ａ）の左側面図及び図２の平面図に示すように、両軸受型リールＡは、釣糸３が巻回されるスプール４を回転可能に支持し、スプール４の前方（釣糸３を繰り出す方向）に釣糸３をスプール４に均一に巻き取るためのレベルワインド装置Ｂを備え、図示しない釣竿に取り付けて使用されるものであり、小型軽量化を目的とした設計により、スプール４とレベルワインド装置Ｂが接近している。
【００１５】
図１（ａ）の左側面図及び図１（ｂ）の縦断左側面図に示すように、レベルワインド装置Ｂは、スプール４の前方に位置する案内筒５、案内筒５外周を左右に摺動する、釣糸３を案内するガイド孔２Ａ（釣糸案内環２の前後方向に連通する孔）を備えた釣糸案内部材１、案内筒５の両端に固定された軸受により支持されたトラバ−スカム軸６、トラバ−スカム軸６のトラバ−ス溝に係合する、釣糸案内部材１内に収容された係合子７、係合子７を抜け止め保持するキャップ８、及び釣糸案内部材１を案内筒５と平行に保持する案内杆９等により構成される。
ここで、釣糸案内部材１の、釣糸３を案内するためのガイド孔２Ａを形成する釣糸案内環２は、円環状であるため、特許文献３のような上向き開口がなく周壁が繋がっているものである。
また、ガイド孔２Ａを形成する周壁（釣糸案内環２の内面）は、前方へ行くにしたがって縮径する円錐面であるのが好ましい。
なお、ガイド孔２Ａは、丸孔に限定されるものではなく、縦長の楕円孔であってもよい。
【００１６】
両軸受型リールＡにおいて、ハンドル１０を回転すると、図示しない駆動歯車等を介してスプ−ル４が回転してスプ−ル４に釣糸３が巻回され、スプール４の回転に連動して、図示しない駆動歯車等を介してレベルワインド装置Ｂのトラバ−スカム軸６も回転する。
このトラバ−スカム軸６の回転によりトラバ−ス溝に係合する係合子７が収容された釣糸案内部材１が案内筒３上を左右に往復動するため、釣糸３をスプ−ル４に均一に巻き取ることができる。
また、キャスティング等において釣糸３を放出する際には、クラッチ操作により、スプール４は駆動伝達機構から切り離されて回転自在状態（フリー状態）になるとともに、レベルワインド装置Ｂの釣糸案内部材１も駆動伝達機構から切り離されて往復動をせずに停止した状態となる。
【００１７】
図１（ｂ）の縦断左側面図に示すように、本発明の実施の形態１に係る釣糸案内部材１の釣糸案内環２は、釣糸案内部材１の基体１Ａから前方へ延出する延出部１Ｂにより支持されているので、ガイド孔２Ａは、図４（ａ）の左側面図及び図４（ｂ）の縦断左側面図並びに図５の平面図に示す、両軸受型リールＡの生産時に装着された釣糸案内部材（以下において、「標準装着品である釣糸案内部材」という。）１１のガイド孔１２Ａよりも前方へオフセットさせた位置にある。
このように構成された釣糸案内部材１を、標準装着品である釣糸案内部材１１と比較すると、釣糸３の角度である、図１（ａ）の角度α１と図４（ａ）の角度α３は、α１＜α３となり、釣糸３の角度である、図２の角度β１と図５の角度βは、β１＜βとなる。
【００１８】
よって、標準装着品である釣糸案内部材１１を使用した場合と比較して、本発明の実施の形態１に係る釣糸案内部材１を使用した場合の方が釣糸３の折り曲げ角度が小さくなるので、釣糸３とガイド孔２Ａ（釣糸案内環２）との接触抵抗を低減できるため、特に軽量な擬餌（ルアー）の飛距離を伸ばすことができるとともに釣糸の劣化を抑制できる。
その上、釣糸３をスプール４に巻き取る際における、左右方向の角度（例えば、図２のβ１）が小さくなるので、過度な綾巻き状となることを抑制でき、適度な重なり合いとなることから、放出抵抗の小さい釣糸３の巻き取り状態となるため、飛距離を伸ばすことができるとともに釣糸の劣化を抑制できる。
さらに、釣糸案内部材１は特殊な形状ではなく、基体１Ａから前方へ延出する延出部１Ｂにより、標準装着品である釣糸案内部材１１のガイド孔１２Ａ（釣糸案内環１２）に対してガイド孔２Ａ（釣糸案内環２）を前方へオフセットさせているのみであり、基体１Ａの構造は標準装着品である釣糸案内部材１１の基体１１Ａと同じであるので、標準装着品である釣糸案内部材１１を取り外して容易に置換して使用できる。
【００１９】
実施の形態２．
実施の形態２を示す図３（ａ）の左側面図及び図３（ｂ）の縦断左側面図において、実施の形態１の図１（ａ）の左側面図及び図１（ｂ）の縦断左側面図と同一符号は、同一又は相当部分を示している。
【００２０】
本発明の実施の形態２に係る釣糸案内部材１の釣糸案内環２は、釣糸案内部材１の基体１Ａから前方及び上方へ延出する延出部１Ｃにより支持されているとともに、図４（ｂ）の標準装着品である釣糸案内部材１１のガイド孔１２Ａの前後方向長さＣ１よりも、ガイド孔２Ａの前後方向寸法Ｃ２を小さくし（Ｃ２＜Ｃ１）、ガイド孔１２Ａの孔径Ｄ１よりもガイド孔２Ａの孔径Ｄ２を小さくしている（Ｄ２＜Ｄ１）。
【００２１】
したがって、図３（ｂ）に示す本発明の実施の形態２に係る釣糸案内部材１のガイド孔２Ａは、図１（ｂ）に示す本発明の実施の形態１に係る釣糸案内部材１のガイド孔２Ａよりも前方へかつ上方へ、ガイド孔２Ａ（釣糸案内環２）がオフセットしている。
よって、釣糸３の角度である、図３（ａ）の角度α２と、図１（ａ）の角度α１及び図４（ａ）の角度α３を比較すると、α２＜α１＜α３となる。
以上より、実施の形態２に係る釣糸案内部材１によれば、実施の形態１に係る釣糸案内部材１よりも、飛距離伸長効果及び釣糸の劣化抑制効果がさらに大きくなる。
また、図３（ｂ）に示すような小型の釣糸案内環２を使用することにより、特に小型軽量化された寸法的に余裕のない両軸受型リールＡにおいて、ガイド孔２Ａの位置をより前方かつ上方へオフセットさせることが容易になる。
さらに、釣糸案内部材１は特殊な形状ではなく、基体１Ａから前方及び上方へ延出する延出部１Ｃにより、標準装着品である釣糸案内部材１１のガイド孔１２Ａ（釣糸案内環１２）に対してガイド孔２Ａ（釣糸案内環２）を前方及び上方へオフセットさせているのみであり、基体１Ａの構造は標準装着品である釣糸案内部材１１の基体１１Ａと同じであるので、標準装着品である釣糸案内部材１１を取り外して容易に置換して使用できる。
なお、釣糸案内部材１のガイド孔２Ａ（釣糸案内環２）は、要求仕様等に基づき、両軸受型リールＡの生産時に装着された標準装着品である釣糸案内部材１１のガイド孔１２Ａよりも、前方（釣糸３の繰出し方向前側）及び上方のどちらか一方又は両方へオフセットさせればよい。
【符号の説明】
【００２２】
Ａ  両軸受型リール
Ｂ  レベルワインド装置
Ｃ１，Ｃ２  ガイド孔の前後方向長さ
Ｄ１，Ｄ２  ガイド孔の孔径
α，α１，α２，β，β１  角度
１  釣糸案内部材
１Ａ  基体
１Ｂ，１Ｃ  延出部
２  釣糸案内環
２Ａ  ガイド孔
３  釣糸
４  スプール
５  案内筒
６  トラバースカム軸
７  係合子
８  キャップ
９  案内杆
１０  ハンドル
１１  標準装着品である釣糸案内部材
１１Ａ  基体
１２  釣糸案内環
１２Ａ  ガイド孔
【図１】
2015084765.tif 000003
【図２】
2015084765.tif 000004
【図３】
2015084765.tif 000005
【図４】
2015084765.tif 000006
【図５】
2015084765.tif 000007